(57)【要約】保管面積を最小化しながらも、保管が容易な折り畳み式の一体型卓球台を提供する。折り畳み式の一体型卓球台は、両方の卓球台と離間して位置する水平脚に設けられるヒンジ部、及び前記ヒンジ部と前記両方の卓球台の底面との間で回動自在に設けられ、前記両方の卓球台を折り畳んだり広げるリンク部を含む。前記ヒンジ部は、互いに離間して対向して設けられる第１及び第２ブラケットを含む。前記リンク部は、その一端が垂直脚に回動自在に設けられ、他端が前記ヒンジ部に回動自在に設けられる第１リンク、およびその一端が前記両方の卓球台の底面に回動自在に設けられ、他端が前記ヒンジ部に回動自在に設けられる第２リンクを含み、前記第１リンクと前記第２リンクは、それらの特定の位置に貫設される連結ピンにより互いに回動自在に連結される。【選択図】図2
2018532522.tif 000002
【特許請求の範囲】
【請求項１】
両方の卓球台と離間して位置する水平脚に設けられるヒンジ部と；
前記ヒンジ部と前記両方の卓球台の底面との間で回動自在に設けられ、前記両方の卓球台を折り畳んだり広げるリンク部と；を含み、
前記ヒンジ部は、互いに離間して対向して設けられる第１及び第２ブラケットを含み、
前記リンク部は、その一端が前記垂直脚に回動自在に設けられ、他端が前記ヒンジ部に回動自在に設けられる第１リンク、およびその一端が前記両方の卓球台の底面に回動自在に設けられ、他端が前記ヒンジ部に回動自在に設けられる第２リンクを含み、
前記第１リンクと前記第２リンクは、それらの特定の位置に貫設された連結ピンにより互いに回動自在に連結されることを特徴とする折り畳み式の一体型卓球台。
【請求項２】
前記第１ブラケットは、前記水平脚の上面一側の中央に固設され、前記第２ブラケットは、前記水平脚の上面他側の中央に固設されることを特徴とする請求項１に記載の折り畳み式の一体型卓球台。
【請求項３】
前記第１リンクの他端は、連結リンクを介して前記第２ブラケットの上部に設けられることを特徴とする請求項２に記載の折り畳み式の一体型卓球台。
【請求項４】
前記第１リンクの他端は、第１ピンを介して前記連結リンクの一端に回動自在に連結され、前記連結リンクの他端は、第２ピンを介して前記第２ブラケットの上部に回動自在に連結されることを特徴とする請求項３に記載の折り畳み式の一体型卓球台。
【請求項５】
前記第１リンクと前記連結リンクとは、一字状であることを特徴とする請求項４に記載の折り畳み式の一体型卓球台。
【請求項６】
前記第２リンクの他端は、第３のピンを介して前記第１ブラケットの底部に回動自在に設けられることを特徴とする請求項２に記載の折り畳み式の一体型卓球台。
【請求項７】
前記第２リンクは、一字状であることを特徴とする請求項６に記載の折り畳み式の一体型卓球台。
【請求項８】
前記第１リンクの他端には、Ｕ状溝が形成され、前記第１リンクのＵ状溝内には、前記ヒンジ部と連結される連結リンクの一端が回動自在に結合されることを特徴とする請求項１に記載の折り畳み式の一体型卓球台。
【請求項９】
前記第１リンクと前記水平脚との間には、ダンパーが更に設けられることを特徴とする請求項１に記載の折り畳み式の一体型卓球台。
【請求項１０】
前記ダンパーは油圧ダンパーであることを特徴とする請求項９に記載の折り畳み式の一体型卓球台。
【発明の詳細な説明】
【技術分野】
【０００１】
本発明は、折り畳み式の一体型卓球台に関するものであり、より詳細には、保管が容易な折り畳み式の一体型卓球台に関するものである。
【背景技術】
【０００２】
卓球台は卓球を楽しむために、屋外や屋内に設置して使用する装置をいう。
【０００３】
しかし、従来の卓球台は、２つの分離したテーブルからなり、広げ折り畳むたびに別々に組立しなければならないため、不便な問題点がある。また、広げ折り畳む時に重いテーブルを上げ下げる操作が困難な問題点がある。
【０００４】
従って、図１に示すような折り畳み式卓球台が出現するようになった。
【０００５】
ところが、図１の折り畳み式卓球台を折り畳むと、両方の卓球台が密着されず、これらとの間に若干のギャップＬが生じる。そして、両方の卓球台の底部に位置する脚（特に、垂直脚）ｆ１、ｆ２、ｆ３、ｆ４は、当該卓球台の底面に密着されず、外側に所定角度広がった状態を維持するようになる。そのため、図１に示す折り畳み式卓球台を保管しようとする場合には、通常の折り畳んだ状態で保管する。この場合、多くの面積を占めるようになる。特に、複数の折り畳み式卓球台を保管する場合には、卓球台を互いに密着して保持することができないため、多くの保管面積が必要である。
【発明の概要】
【発明が解決しようとする課題】
【０００６】
前述した従来の問題点を解決するためになされた本発明は、保管面積を最小化しながらも、保管が容易な折り畳み式の一体型卓球台を提供することにその目的がある。
【課題を解決するための手段】
【０００７】
前述のような目的を達成するために、本発明の好ましい実施態様に係る折り畳み式の一体型卓球台は、両方の卓球台と離間して位置する水平脚に設けられるヒンジ部と；
前記ヒンジ部と前記両方の卓球台の底面との間で回動自在に設けられ、前記両方の卓球台を折り畳んだり広げるリンク部と；を含み、
前記ヒンジ部は、互いに離間して対向して設けられる第１及び第２ブラケットを含み、前記リンク部は、その一端が前記垂直脚に回動自在に設けられ、他端が前記ヒンジ部に回動自在に設けられる第１リンク、およびその一端が前記両方の卓球台の底面に回動自在に設けられ、他端が前記ヒンジ部に回動自在に設けられる第２リンクを含み、前記第１リンクと前記第２リンクは、それらの特定の位置に貫設された連結ピンにより互いに回動自在に連結される。
【０００８】
前記第１ブラケットは、前記水平脚の上面一側の中央に固設されることができ、前記第２ブラケットは、前記水平脚の上面他側の中央に固設されることができる。
【０００９】
前記第１リンクの他端は、連結リンクを介して前記第２ブラケットの上部に設けられることができる。
【００１０】
前記第１リンクの他端は、第１ピンを介して前記連結リンクの一端に回動自在に連結されることができ、前記連結リンクの他端は、第２ピンを介して前記第２ブラケットの上部に回動自在に連結されることができる。
【００１１】
前記第１リンクと前記連結リンクとは、一字状であることができる。
【００１２】
前記第２リンクの他端は、第３のピンを介して前記第１ブラケットの底部に回動自在に設けられることができる。
【００１３】
前記第２リンクは、一字状であることができる。
【００１４】
前記第１リンクの他端には、Ｕ状溝が形成されることができ、前記第１リンクのＵ状溝内には、前記ヒンジ部と連結される連結リンクの一端が回動自在に結合されることができる。
【００１５】
前記第１リンクと前記水平脚との間には、ダンパーが更に設けられることができる。
【００１６】
前記ダンパーは油圧ダンパーであることができる。
【発明の効果】
【００１７】
このような構成の本発明によれば、両方の卓球台を折り畳むと、両方の卓球台が互いに密着するように折り畳まれ、両方の卓球台底部の脚（特に、垂直脚）が両方の卓球台の底面に密着するように折り畳まれるので、保管面積を最小化することができる。
【００１８】
そして、複数の折り畳み式の一体型卓球台を保管する場合には、互いに密着して保持することができると共に、非常に簡易に作業することができる。
【００１９】
また、両方の卓球台を折り畳んだり広げる時、ダンパーにより楽に折り畳んだり広げることができるので、使用上の利便性を提供することができる。特に、両方の卓球台を折り畳む時、両方の卓球台との間に指などが挟まれる恐れがない。
【発明を実施するための形態】
【００２０】
前述のような目的を達成するために、本発明の好ましい実施態様に係る折り畳み式の一体型卓球台は、両方の卓球台と離間して位置する水平脚に設けられるヒンジ部と；
前記ヒンジ部と前記両方の卓球台の底面との間で回動自在に設けられ、前記両方の卓球台を折り畳んだり広げるリンク部と；を含み、
前記ヒンジ部は、互いに離間して対向して設けられる第１及び第２ブラケットを含み、前記リンク部は、その一端が前記垂直脚に回動自在に設けられ、他端が前記ヒンジ部に回動自在に設けられる第１リンク、およびその一端が前記両方の卓球台の底面に回動自在に設けられ、他端が前記ヒンジ部に回動自在に設けられる第２リンクを含み、前記第１リンクと前記第２リンクは、それらの特定の位置に貫設される連結ピンにより互いに回動自在に連結される
【００２１】
（実施形態）
本発明は、多様な変更を加えることができ、さまざまな実施形態を有することができるところ、特定の実施形態を図面で例示して詳細な説明に詳細に説明することにする。
【００２２】
しかし、これは、本発明を特定の実施形態について限定しようとするものではなく、本発明の思想及び技術範囲に含まれる全ての変更、均等物ないし代替物を含むものと理解されなければならない。
【００２３】
本出願で使用した用語は、単に特定の実施形態の説明のためにのみ使用されたものであり、本発明を限定する意図はない。本出願で、「含む」または「有する」というような用語は、明細書に記載された特徴、数字、段階、動作、構成要素、部品、またはそれらの組み合わせが存在するということを述べるものであり、一つまたはそれ以上の他の特徴、数字、段階、動作、構成要素、部品、またはそれらの組み合わせなどの存在または付加の可能性をあらかじめ排除するものではないことを理解されなければならない。
【００２４】
技術的であるか科学的な用語を含む全ての用語は、別に定義されない限り、本発明が属する技術分野における通常の知識を有する者によって一般的に理解されることと同じ意味を有する。辞書に定義された用語のように一般的に使用される用語は関連技術の文脈上の意味と一致すると解析すべきであり、本出願で明白に定義しない限り、理想的であるか過度に形式的な意味で解析されない。
【００２５】
以下、添付した図面を参照して、本発明の好適な実施形態をより詳細に説明する。本発明を説明するにおいて、全体的理解を容易にするために図面上の同一の構成要素については、同一の参照符号を使用し、同一の構成要素について重複する説明を省略する。
【００２６】
図１は従来の折り畳み式卓球台の一例を示す斜視図であり、図２は本発明の実施形態に係る折り畳み式の一体型卓球台の構成を示す斜視図であり、図３は図２のＡ部分を拡大して示す斜視図であり、図４は図２に示したヒンジ部とリンクとの間の結合状態を示す図であり、図５は本発明の実施形態に係る折り畳み式の一体型卓球台を完全に折り畳んだ場合の状態を示す斜視図であり、図６は本発明の実施形態に係る折り畳み式の一体型卓球台のいずれかの卓球台のみを折り畳んだ場合の状態を示す斜視図であり、図７は図６に示したヒンジ部とリンクとの間の結合状態を示す斜視図である。
【００２７】
本発明の実施形態に係る折り畳み式の一体型卓球台は、両方の卓球台１、２の底部の水平脚１４、１５に設けられるヒンジ部と、このヒンジ部と両方の卓球台１、２の底面との間で回動自在に設けられ、両方の卓球台１、２を折り畳んだり広げるリンク部とを、含む。
【００２８】
ヒンジ部は水平脚１４、１５の中央に設けられる。ここで、水平脚１４、１５は、両方の卓球台１、２を広げて一つの卓球台を形成した場合、その卓球台の長さ方向の両側部から下方に離間して、中央にそれぞれ位置する。即ち、水平脚１４は垂直脚１０と垂直脚１１との間の中央に位置し、水平脚１５は垂直脚１２と垂直脚１３との間の中央に位置する。垂直脚１０、１１、１２、１３と水平脚１４、１５は、それぞれ自分の位置で両方の卓球台１、２を支持する。
【００２９】
それぞれのヒンジ部、互いに離間して対向して設けられるブラケット１６、１７を含む。ブラケット１６は、水平脚１４の上面一側に固設され、ブラケット１７は、水平脚１４の上面他側に固設される。ブラケット１６とブラケット１７は、Ｕ状で一体に形成することもできる。
【００３０】
図２乃至図４においては、水平脚１４に設けられるヒンジ部のブラケット１６、１７のみに参照符号を付与した。しかし、水平脚１５にもそれと同一の構造を有するヒンジ部が設けられるので、水平脚１５のブラケットに別の参照符号を付与しなくても容易に理解すべきである。図４は、ヒンジ部とリンクとの間の結合状態を理解しやすいように表現しており、より具体的な結合状態は、後述する図１１を通じて、より確実に理解することができる。
【００３１】
リンク部は６つのリンク１８、１９、２０、２１、３０、３１で構成することができる。６つのリンク１８、１９、２０、２１、３０、３１は一字状である。
【００３２】
第１リンク１８の一端は、一方の卓球台（例えば、左卓球台）１の底面に回動自在に設けられる垂直脚１０に回動自在に設けられ、第１リンク１８の他端は、第１連結リンク３０を介してブラケット１７の上部に設けられる。ここで、第１リンク１８の一端を回動自在に連結する構造は、当業者であれば周知の技術により容易に実現することができることを理解すべきである。
【００３３】
第１リンク１８の他端は、第１連結リンク３０の一端にピン４７を介して回動自在に連結される。第１連結リンク３０の他端は、ピン４６を介してブラケット１７の上部に回動自在に連結される。
【００３４】
第２リンク１９の一端は、一方の卓球台１の底面に回動自在に設けられる。第２リンク１９の一端を回動自在に連結する構造は、当業者であれば周知の技術により容易に実現することができていることを理解すべきである。第２リンク１９の他端は、ピン４２を介してブラケット１６の底部に回動自在に設けられる。そして、第１リンク１８と第２リンク１９は、ピン４１を介して互いに連結される。ピン４１は、第１リンク１８と第２リンク１９を互いに連結させるので、連結ピンということができる。即ち、第１リンク１８の他端から一端に向かって所定距離となる位置と第２リンク１９の他端から一端に向かって所定距離となる位置に形成された孔にピン４１が貫設される。ここで、ピン４１、４２、４６、４７の取り付け位置は、第１リンク１８と第２リンク１９と、第１連結リンク３０が回動することができる回動点になり得る。
【００３５】
一方、第３リンク２０の一端は、他の卓球台（例えば、右卓球台）２の底面に回動自在に設けられた垂直脚１１に回動自在に設けられる。第３リンク２０の他端は、第２連結リンク３１を介してブラケット１７の上部に設けられる。ここで、第３リンク２０の一端を回動自在に連結する構造は、当業者であれば周知の技術により容易に実現することができていることを理解すべきである。第３リンク２０の他端は、第２連結リンク３１の一端にピン４５を介して回動自在に連結される。第２連結リンク３１の他端は、ピン４６を介してブラケット１７の上部に回動自在に連結される。第４リンク２１の一端は、他の卓球台２の底面に回動自在に設けられる。第４リンク２１の一端を回動自在に連結する構造は、当業者であれば周知の技術により容易に実現することができていることを理解すべきである。第４リンク２１の他端は、ピン４３を介してブラケット１６の底部に回動自在に設けられる。そして、第３のリンク２０と第４リンク２１は、ピン４４を介して互いに連結される。ピン４４は、第３のリンク２０と第４リンク２１を互いに連結させるので、連結ピンということができる。ピン４４は、第３リンク２０の他端から一端に向かって所定距離となる位置と第４リンク２１の他端から一端に向かって所定距離となる位置に形成された孔に貫設される。ここで、ピン４３、４４、４５、４６の取り付け位置は、第３のリンク２０と第４リンク２１と第２連結リンク３１が回動することができる回動点になり得る。
【００３６】
図３において、水平脚の下部には、ローラー１４ａ、１４ｂ、１５ａ、１５ｂが装着される。図４は、リンク部の連結関係を示すためにブラケット１６を除去した状態を示す。
【００３７】
前述したような構造の本発明の折り畳み式の一体型卓球台を完全に折り畳むと、図５に示すような状態になる。即ち、従来に比べて、従来の折り畳み式卓球台（図１参照）は、両方の卓球台が互いに密着しなかったが、本発明の実施形態に係る折り畳み式卓球台は、両方の卓球台が完全に密着する。また、従来の折り畳み式卓球台は完全に折り畳んだ時の垂直脚が卓球台の底面に密着しなかったが、本発明の実施形態に係る折り畳み式卓球台は、垂直脚が卓球台の底面に密着する。これによって、本発明の実施形態に係る折り畳み式卓球台は、従来の折り畳み式卓球台に比べて、より少ない保管面積を占めるだけでなく、保管がより容易であり、垂直脚が突き出さないので、安全事故を減らすことができる。
【００３８】
一方、本発明の実施形態に係る折り畳み式の一体型卓球台は必要に応じて、図６に示すように、いずれか一方の卓球台のみを折り畳むことができる。図６は卓球台１を広げた状態であり、卓球台２のみ折り畳んだ状態を示す。図６に示すようにいずれか一方の卓球台（即ち、右卓球台２）のみを折り畳むと、リンク部リンク１８、１９、２０、２１は、図７に示すような状態になる。
【００３９】
図８は本発明の実施形態に係る折り畳み式の一体型卓球台を完全に折り畳んだ場合のリンク状態を示す図である。図８は両方の卓球台１、２のうち、左卓球台１に連結されたリンク１８、１９、３０を示す。右卓球台２に連結されたリンクも、図８に示すように位置するようになる。
【００４０】
本発明の実施形態に係る折り畳み式の一体型卓球台を完全に折り畳むと、第１リンク１８と第２リンク１９は、水平脚１４に対して垂直に位置し、第１リンク１８の他端に連結された第１連結リンク３０の一端は、下方に向かっている。
【００４１】
図９は本発明の実施形態に係る折り畳み式の一体型卓球台をある程度広げた場合のリンク状態を示す図である。図９は両方の卓球台１、２のうち、左卓球台１に連結されたリンク１８、１９、３０を示す。右卓球台２に連結されたリンクも、図９に示すように位置するようになる。
【００４２】
本発明の実施形態に係る折り畳み式の一体型卓球台を３０度乃至４０度程度に折り畳んだり広げると、図８に比べて、第１リンク１８と第２リンク１９は、所定角度斜めになり、第１リンク１８の他端に連結された第１連結リンク３０は、水平脚１４に対してほぼ平行に位置するようになる。
【００４３】
図１０は本発明の実施形態に係る折り畳み式の一体型卓球台を完全に広げた場合のリンク状態を示す図である。図１０は両方の卓球台１、２のうち、左卓球台１に連結されたリンク１８、１９、３０を示す。右卓球台２に連結されたリンクも、図１０のように位置するようになる。
【００４４】
本発明の実施形態に係る折り畳み式の一体型卓球台を完全に広げると、図９に比べて、第１リンク１８と第２リンク１９は、更に斜めになって回動し、第１リンク１８の他端に連結された第１連結リンク３０は、第１リンク１８と一直線をなすようになる。
【００４５】
図１１は図２に示したヒンジ部とリンクとの間の結合状態をより具体的に示す平面図である。
【００４６】
図１１において、第１リンク１８と第２リンク１９とがピン４１を回動点として互いに回動自在に結合されたことが分かる。第２リンク１９はピン４２を回動点として、ブラケット１６、１７に回動自在に結合されたことが分かる。
【００４７】
また、第１リンク１８と第１連結リンク３０とは、ピン４７を回動点として互いに回動自在に結合されたことが分かる。より具体的には、第１リンク１８の他端（即ち、第１連結リンク３０と結合される部分）には、Ｕ状溝が形成される。第１連結リンク３０の一端（即ち、第１リンク１８と結合される部分）が第１リンク１８のＵ状溝内に挿入される。この時、ピン４７は第１リンク１８と第１連結リンク３０との間の結合部分に形成された孔に貫挿される。
【００４８】
一方、第１連結リンク３０は、ピン４６を回動点として、ブラケット１６、１７に回動自在に結合されたことが分かる。
【００４９】
第３リンク２０と第４リンク２１とがピン４４を回動点として互いに回動自在に結合されたことが分かる。第４リンク２１はピン４３を回動点として、ブラケット１６、１７に回動自在に結合されたことが分かる。
【００５０】
また、第３のリンク２０と第２連結リンク３１は、ピン４５を回動点として互いに回動自在に結合されたことが分かる。より具体的には、第３リンク２０の他端（即ち、第２連結リンク３１と結合される部分）には、Ｕ状溝が形成される。第２連結リンク３１の一端（即ち、第３リンク２０と結合される部分）が第３リンク２０のＵ状溝内に挿入される。このとき、ピン４５は第３リンク２０と第２連結リンク３１との間の結合部分に形成された孔に貫挿される。
【００５１】
一方、第２連結リンク３１は、ピン４６を回動点として、ブラケット１６、１７に回動自在に結合されたことが分かる。
【００５２】
図１２は図２に示した第１リンクと第２リンクとの間の角度差を示すグラフである。
【００５３】
例えば、両方の卓球台が完全に折り畳んでいる場合、第１リンク１８と第２リンク１９は、水平脚１４に対して直角をなしているので、図８に示すような状態を維持し、相互間の角度差はない。
【００５４】
一方、両方の卓球台がある程度折り畳んだり広ける場合、第１リンク１８と第２リンク１９は、ピン４１、４２、４６、４７を回動点として、それぞれ回動するようになる。このとき、両方の卓球台が折り畳んだ一定の位置における回動による第１リンク１８と第２リンク１９との回動角度には互いに差がある。即ち、両方の卓球台が折り畳んだり広ける際には、図１１に示すように、第１リンク１８と第２リンク１９との回動角度には一定の位置ごとに若干の差が存在する。
【００５５】
そして、両方の卓球台が完全に広がると、第１リンク１８と第２リンク１９との角度差は最大になる。
【００５６】
前述した図１２においては、第１リンク１８と第２リンク１９との間の角度差についてのみ説明したが、通常の技術者であれば、第３のリンク２０と第４リンク２１との間の角度差も、第１リンク１８と第２リンク１９との間の角度差と同一に発生することを容易に理解すべきである。
【００５７】
図１３は本発明の実施形態に係る折り畳み式の一体型卓球台にダンパーを追加した構成を示す図である。
【００５８】
前述した本発明の実施形態に係る折り畳み式の一体型卓球台に比べてみると、図１３は、ダンパー５０、５１を追加した構成である点で差がある。
【００５９】
即ち、図１３に示す構成は、第１リンク１８と水平脚１４との間にダンパー５０を更に設け、第３のリンク２０と水平脚１４との間にダンパー５１を更に設けた点で差がある。一方、図１３でリンク１８、１９、２０、２１により見えない反対側のリンクのうち、第１リンク１８に相当するリンクと水平脚１４との間にはダンパー５０が設けられ、第３リンク２０に相当するリンクと水平脚１４との間にはダンパー５１が設けられる。
【００６０】
ここで、ダンパー５０、５１は、例えば、油圧ダンパーであることができる。
【００６１】
前述した図１３の構成によっては、ユーザーが折り畳まれた一体型卓球台の端をつかんで広がるように軽く回動させると、伸びていたダンパー５０、５１が収縮し始める。ダンパー５０、５１が収縮することによって、折り畳んでいる卓球台が徐々に広がり、完全に広がると、それ以上のダンパー５０、５１の収縮動作は行われない。
【００６２】
次に、ユーザーが広がっている卓球台の端を軽く持ち上げると、収縮していたダンパー５０、５１の伸長（膨張）が開始される。ダンパー５０、５１が伸長されることによって、広がっていた卓球台が徐々に折り畳まれ、完全に折り畳まれると、それ以上のダンパー５０、５１の伸長動作は行われない。 。
【００６３】
このように、ダンパー５０、５１が更に装着された卓球台を利用する場合、卓球台を折り畳んだり広げる時、ユーザーは、少ない力で容易に卓球台を操作することができる。特に、両方の卓球台を折り畳む時、両方の卓球台との間に指などが挟まれる恐れがない。
【００６４】
前述したように、特定の用語を用いて図面と明細書で最適実施形態を開示したが、これは単に本発明を説明するための目的で使われたことであって、意味限定や特許請求の範囲に記載された本発明の範囲を制限するものではない。よって、本技術分野の既存の知識を有する者ならばこれらの多様な変形および同等な他実施形態が可能であるという点を理解できる。したがって、本発明の真の技術的保護範囲は添付された特許請求の範囲の技術的思想によって決められなければならない。
【産業上の利用可能性】
【００６５】
従って、本発明の産業利用このような構成の本発明によれば、両方の卓球台を折り畳むと、両方の卓球台が互いに密着するように折り両方の卓球台底部の脚（特に、垂直脚）が両方の卓球台の底面に密着するように折り畳まれるので、保管面積を最小化するができる。
【００６６】
そして、複数の折り畳み式の一体型卓球台を保管する場合には、お互いに密着して保持することができると共に、非常に簡易に作業することができる。
【００６７】
また、両方の卓球台を折り畳んだり広げる時、ダンパーにより楽に折り畳んだり広げることができるので、使用上の利便性が増加することができる。特に、両方の卓球台を折り畳む時、両方の卓球台との間に指などが挟まれる恐れがない。性はきわめて高いものといえる。
【図面の簡単な説明】
【００６８】
【図１】従来の折り畳み式卓球台の一例を示す斜視図である。
【図２】本発明の実施形態に係る折り畳み式の一体型卓球台の構成を示す斜視図である。
【図３】図２のＡ部分を拡大して示す斜視図である。
【図４】図２に示したヒンジ部とリンクとの間の結合状態を示す図である。
【図５】本発明の実施形態に係る折り畳み式の一体型卓球台を完全に折り畳んだ場合の状態を示す斜視図である。
【図６】本発明の実施形態に係る折り畳み式の一体型卓球台のいずれかの卓球台のみを折り畳んだ場合の状態を示す斜視図である。
【図７】図６に示したヒンジ部とリンクとの間の結合状態を示す斜視図である。
【図８】本発明の実施形態に係る折り畳み式の一体型卓球台を完全に折り畳んだ場合のリンク状態を示す図である。
【図９】本発明の実施形態に係る折り畳み式の一体型卓球台をある程度広げた場合のリンク状態を示す図である。
【図１０】本発明の実施形態に係る折り畳み式の一体型卓球台を完全に広げた場合のリンク状態を示す図である。
【図１１】図２に示したヒンジ部とリンクとの間の結合状態をより具体的に示す平面図である。
【図１２】図２に示した第１リンクと第２リンクとの間の角度差を示すグラフである。
【図１３】本発明の実施形態に係る折り畳み式の一体型卓球台にダンパーを追加した構成を示すグラフである。
【図１】
2018532522.tif 000003
【図２】
2018532522.tif 000004
【図３】
2018532522.tif 000005
【図４】
2018532522.tif 000006
【図５】
2018532522.tif 000007
【図６】
2018532522.tif 000008
【図７】
2018532522.tif 000009
【図８】
2018532522.tif 000010
【図９】
2018532522.tif 000011
【図１０】
2018532522.tif 000012
【図１１】
2018532522.tif 000013
【図１２】
2018532522.tif 000014
【図１３】
2018532522.tif 000015
【国際調査報告】
2018532522.tif 000016
2018532522.tif 000017
2018532522.tif 000018
2018532522.tif 000019